(57)【要約】【課題】  医師や看護師、獣医師が各種の医療器具の位置を一瞥して把握でき、かつ、直ちに手に取ることができる医療器具支持ユニットを提供すること。【解決手段】  医療器具支持ユニット１００は、脚部１０に設けたキャスタ１４ａ、１４ｂ、１４ｃ及び１４ｄによって床面上を各方向に自由に移動できる。支柱部１５は、下部支柱材１６に対して上部支柱材１７が上下することによって伸縮可能であり、さらに載置部１８において上段載置台２０やハンガーアーム４６を回転可能な状態で支持する。クランプ支持アーム３０に支持されている中段載置台２５も回転可能な状態で支持するので、医師、看護師、獣医師などから見て上段載置台２０と中段載置台２５とが互いに重なり合わないようにこれらの位置又は方向をそれぞれ調整できる。【選択図】  図１
2011218154.tif 000002
【特許請求の範囲】
【請求項１】
床面上を移動可能に設けられた脚部と、
該脚部から直立するように設けられると共に伸縮可能な支柱部と、
該支柱部の上端部に形成され、かつ、上面側が平坦に形成されると共に、該上面に開口している支持孔が形成された載置部と、
該載置部の前記支持孔に挿入され、かつ、回転可能に支持される支持軸が設けられた載置台又は医療器具支持アームを備えたことを特徴とする医療器具支持ユニット。
【請求項２】
さらに、前記支柱の周側面を締め付けることによって前記支柱部に固定可能になされ、かつ、上面側が平坦に形成されると共に、該上面の先端部近傍に開口している支持孔が形成されたクランプ支持アームと、
該クランプ支持アームの前記支持孔に挿入され、かつ、回転可能に支持される支持軸が設けられた別の載置台を備えたことを特徴とする請求項１に記載の医療器具支持ユニット。
【請求項３】
前記脚部は、水平方向に延在する第１の脚部材と、該第１の脚部材の両端部にそれぞれ接続されると共に、前記第１の脚部材と直交する方向にそれぞれ延在する第２の脚部材と第３の脚部材とを有し、
前記支柱部は、前記第１の脚部材の前記第２の脚部材側の端部近傍から直立するように設けられていることを特徴とする請求項１又は請求項２に記載の医療器具支持ユニット。
【請求項４】
前記載置部は、略長方形板状に形成され、
長辺に相当する縁辺部が前記第１の脚部材と平行となるように配置され、
短辺に相当する縁辺部のうち、前記第２の脚部材側の縁辺部近傍において前記支柱部に接続され、前記第３の脚部材側の縁辺部近傍に前記支持孔が形成されていることを特徴とする請求項３に記載の医療器具支持ユニット。
【請求項５】
さらに、下面側に前記第１の脚部材と平行に延在すると共に、前記第１の脚部材の幅と同じ、又は、該幅よりもわずかに広い間隙となるように配置された２つの保持部が設けられたさらに別の載置台を備えたことを特徴とする請求項３又は請求項４に記載の医療器具支持ユニット。
【請求項６】
前記脚部は、前記第１の脚部材の上面に開口している支持孔が形成され、
さらに、前記第１の脚部材の前記支持孔に挿入され、かつ、回転可能に支持されるさらに別の載置台を備えたことを特徴とする請求項３又は請求項４に記載の医療器具支持ユニット。
【請求項７】
前記載置台、前記別の載置台及び前記さらに別の載置台は、側板部がそれぞれ設けられ、
さらに、前記載置台、前記別の載置台、前記さらに別の載置台の少なくとも１つの前記側板部に固定可能になされると共に、医療器具に接続された線状体を少なくとも２本保持するホルダを備えたことを特徴とする請求項５又は請求項６に記載の医療器具支持ユニット。
【請求項８】
前記脚部は、前記第２の脚部材よりも前記第３の脚部材が重いことを特徴とする請求項３から請求項７のいずれか一項に記載の医療器具支持ユニット。
【請求項９】
前記クランプ支持アームは、基端側に前記支柱の周側面を締め付けることによって前記支柱部に固定可能なクランプが設けられ、
該クランプは、前記クランプ支持アームの先端部を複数の方向に向けて選択的に前記支柱部に固定可能であることを特徴とする請求項２から請求項８のいずれか一項に記載の医療器具支持ユニット。
【発明の詳細な説明】
【技術分野】
【０００１】
本発明は、医療器具支持ユニットに関し、特に、手術台や処置台の周辺において使用する各種医療器具を支持する医療器具支持ユニットに関する。
【背景技術】
【０００２】
手術台や処置台の周辺において使用する医療器具を支持するものは、手術又は処置を迅速に行えるように、多数の医療器具を並べて配置したり、つり下げたりできるような構造となっているものが多い。このようなものにおいては、医師や看護師、獣医師が各種の医療器具の位置を一瞥して把握できるように様々な発明がなされている。
【０００３】
例えば、特表２００３−５１５４２７公報では、ひな段状に構成されたテーブルを覆う布において、段と段との間に位置する部分を透明なものとしている。このように構成することによって、テーブルの周囲の各方向からテーブルに載置された医療器具を視認できるようにしている。
【０００４】
しかしながら、このように構成しても、医療器具がテーブルの陰に隠れることまで解消することはできない。また、テーブルの遠い側に置いてある医療器具を直ちに取ることが難しい場合がある。１秒でも早い対応が必要となる手術において、医師や看護師が姿勢を変えて医療器具を取りに行くことは、貴重な時間の損失となる。したがって、載置された医療器具を視認できるだけでなく、直ちに手に取れることが重要な課題となってくる。
【先行技術文献】
【特許文献】
【０００５】
【特許文献１】特表２００３−５１５４２７公報
【発明の概要】
【発明が解決しようとする課題】
【０００６】
本発明は、上記課題を解決するために、医師や看護師、獣医師が各種の医療器具の位置を一瞥して把握でき、かつ、直ちに手に取ることができる医療器具支持ユニットを提供することを目的とする。
【課題を解決するための手段】
【０００７】
請求項１に記載の発明は、  床面上を移動可能に設けられた脚部と、該脚部から直立するように設けられると共に伸縮可能な支柱部と、前記支柱部の上端部に形成され、かつ、上面側が平坦に形成されると共に、該上面に開口している支持孔が形成された載置部と、該載置部の前記支持孔に挿入され、かつ、回転可能に支持される支持軸が設けられた載置台又は医療器具支持アームを備えたことを特徴とする医療器具支持ユニット。
である。
【０００８】
請求項２に記載の発明は、請求項１に記載の発明において、さらに、前記支柱の周側面を締め付けることによって前記支柱部に固定可能になされ、かつ、上面側が平坦に形成されると共に、該上面の先端部近傍に開口している支持孔が形成されたクランプ支持アームと、該クランプ支持アームの前記支持孔に挿入され、かつ、回転可能に支持される支持軸が設けられた別の載置台を備えたことを特徴とする医療器具支持ユニットである。
【０００９】
請求項３に記載の発明は、請求項１又は請求項２に記載の発明において、前記脚部は、水平方向に延在する第１の脚部材と、該第１の脚部材の両端部にそれぞれ接続されると共に、前記第１の脚部材と直交する方向にそれぞれ延在する第２の脚部材と第３の脚部材とを有し、前記支柱部は、前記第１の脚部材の前記第２の脚部材側の端部近傍から直立するように設けられていることを特徴とする医療器具支持ユニットである。
【００１０】
請求項４に記載の発明は、請求項３に記載の発明において、前記載置部は、略長方形板状に形成され、長辺に相当する縁辺部が前記第１の脚部材と平行となるように配置され、短辺に相当する縁辺部のうち、前記第２の脚部材側の縁辺部近傍において前記支柱部に接続され、前記第３の脚部材側の縁辺部近傍に前記支持孔が形成されていることを特徴とする医療器具支持ユニットである。
【００１１】
請求項５に記載の発明は、請求項３又は請求項４に記載の発明において、さらに、下面側に前記第１の脚部材と平行に延在すると共に、前記第１の脚部材の幅と同じ、又は、該幅よりもわずかに広い間隙となるように配置された２つの保持部が設けられたさらに別の載置台を備えたことを特徴とする医療器具支持ユニットである。
【００１２】
請求項６に記載の発明は、請求項３又は請求項４に記載の発明において、前記脚部は、前記第１の脚部材の上面に開口している支持孔が形成され、さらに、前記第１の脚部材の前記支持孔に挿入され、かつ、回転可能に支持されるさらに別の載置台を備えたことを特徴とする医療器具支持ユニットである。
【００１３】
請求項７に記載の発明は、請求項５又は請求項６に記載の発明において、前記載置台、前記別の載置台及び前記さらに別の載置台は、側板部がそれぞれ設けられ、さらに、前記載置台、前記別の載置台、前記さらに別の載置台の少なくとも１つの前記側板部に固定可能になされると共に、医療器具に接続された線状体を少なくとも２本保持するホルダを備えたことを特徴とする医療器具支持ユニットである。
【００１４】
請求項８に記載の発明は、請求項３から請求項７のいずれか一項に記載の発明において、前記脚部は、前記第２の脚部材よりも前記第３の脚部材が重いことを特徴とする医療器具支持ユニットである。
【００１５】
請求項９に記載の発明は、請求項２から請求項８のいずれか一項に記載の発明において、前記クランプ支持アームは、基端側に前記支柱の周側面を締め付けることによって前記支柱部に固定可能なクランプが設けられ、該クランプは、前記クランプ支持アームの先端部を複数の方向に向けて選択的に前記支柱部に固定可能であることを特徴とする医療器具支持ユニットである。
【発明の効果】
【００１６】
請求項１に記載の発明によれば、脚部が床面上を移動可能である上に、支柱部が伸縮可能であり、くわえて載置台又は医療器具支持アームが回転可能に支持されているので、手術又は処置を行う医師、看護師、獣医師などが各種の医療器具の位置を一瞥して把握できるように前後左右の位置や、高さ、方向を調整でき、かつ、医師などが手を伸ばして医療器具を取りやすい位置にすることも容易になる。
【００１７】
請求項２に記載の発明によれば、クランプ支持アームに支持されている別の載置台が回転可能であるので、医療器具の位置を把握しやすいように２つの載置台の向きをそれぞれ調整できるので、さらに医療器具に対する視認性が向上する。
【００１８】
請求項３に記載の発明によれば、支柱部が脚部を構成する第１の脚部材の第２の脚部材側の端部近傍から直立しているので、載置台と脚部との間に何もない空間ができる。この空間に手術台又は処置台が入り込むように医療器具支持ユニットを移動することによって、各種の医療器具を手術台又は処置台の極めて近傍、又は上方に位置させることができる。
【００１９】
請求項４に記載の発明によれば、載置部が第２の脚部材側の縁辺部近傍において支柱部に接続されているので、載置台を回転したときにその重量によって支柱部に第３の脚部材側へ倒そうとするモーメントが加わるが、第３の脚部材側の縁辺部近傍に支持孔を形成したことによって。支柱部を第２の脚部材側に偏った状態にして反対側に倒すモーメントを生じるようにしたので、支柱部が倒れることを防止できる。
【００２０】
請求項５に記載の発明によれば、第１の脚部材によってさらに別の載置台を保持できるようにしたので、例えばサクションのように、手術台又は処置台の近傍に配置する必要があるが、手術中又は処置中はほとんど手を触れないようなものを置くことができ、医療器具支持ユニットの利便性をさらに向上することができる。
【００２１】
請求項６に記載の発明によれば、第１の脚部材がさらに別の載置台を回転可能に支持しているので、例えばサクションのように、手術台又は処置台の近傍に配置する必要があるが、手術中又は処置中はほとんど手を触れないようなものを置くことができ、くわえて医師、看護師、獣医師などの足に当たりにくい方向に向けておくことができる。
【００２２】
請求項７に記載の発明によれば、載置台、別の載置台、さらに別の載置台の少なくとも１つの側板部に、医療器具に接続された線状体を少なくとも２本保持するホルダを固定できるので、電気メス、レーザメス、吸引器などの電源ケーブルや吸引チューブなどが一定の範囲を超えて移動することを防止できる。したがって、各種ケーブル又はチューブが絡み合って手術又は処置を妨げることを防止でき、さらに載置台などの上が整然とした状態になるので、各種の医療器具の配置が把握しやすくなる。
【００２３】
請求項８に記載の発明によれば、第２の脚部材よりも第３の脚部材が重いので、載置台に置いた医療器具の重量によって支柱部が第２の脚部材側に傾く、さらに医療器具支持ユニット全体が転倒することを防止できる。
【００２４】
請求項９に記載の発明によれば、クランプ支持アームがその先端部を複数方向に向けて選択的に固定可能であるので、医師、看護師、獣医師などの視野に載置台と別の載置台との全体が入るように配置することがさらに容易になる。
【図面の簡単な説明】
【００２５】
【図１】本発明の第１の実施の形態に係る医療器具支持ユニットの使用状態を示す斜視図である。
【図２】本発明の第１の実施の形態に係る医療器具支持ユニットの各構成品の接続関係を示す斜視図である。
【図３】脚部及び支柱部の斜視図であり、（Ａ）は支柱部を伸ばした状態、（Ｂ）は支柱部を縮めた状態を示す。
【図４】上段載置台の支持状態を示す斜視図である。
【図５】上段載置台の回転状態を示す斜視図であり、（Ａ）は第３脚部材側に回転させた状態、（Ｂ）は第２脚部材側に回転させた状態を示す。
【図６】脚部と上段載置台との位置関係を示す斜視図である。
【図７】上段載置台のみを使用している状態を示す斜視図である。
【図８】上段載置台を使用した状態において、第３脚部材側に向けてクランプ支持アームを取り付けた状態を示す斜視図である。
【図９】上段載置台を使用した状態において、第２脚部材側に向けてクランプ支持アームを取り付けた状態を示す斜視図である。
【図１０】クランプ支持アームの取り付け方法を示す斜視図であり、（Ａ）はクランプ支持アームを支柱部にあてがった状態、（Ｂ）は締付金具で締め付けた状態を示す。
【図１１】上段載置台と中段載置台とを使用している状態を示す斜視図（１）である。
【図１２】上段載置台と中段載置台とを使用している状態を示す斜視図（２）である。
【図１３】上段載置台と下段載置台とを使用している状態を示す斜視図である。
【図１４】上段載置台と下段載置台とを使用した状態において、第３脚部材側に向けてクランプ支持アームを取り付けた状態を示す斜視図である。
【図１５】ハンガーアームの脚部への取り付け方法を示す斜視図である。
【図１６】ハンガーアームの使用状態を示す斜視図である。
【図１７】ラテラルの脚部への取り付け方法を示す斜視図である。
【図１８】牽引器具の脚部への取り付け方法を示す斜視図である。
【図１９】牽引器具の使用状態を示す斜視図である。
【図２０】補助アームの脚部への取り付け方法を示す斜視図である。
【図２１】ラインホルダを示す図であり、（Ａ）は正面図、（Ｂ）は右側面図、（Ｃ）は背面図である。
【図２２】ラインホルダの使用状態を示す斜視図である。
【図２３】本発明の第２の実施の形態に係る医療器具支持ユニットの接続関係を示す斜視図である。
【図２４】転倒実験の方法を示す側面図である。
【発明を実施するための形態】
【００２６】
以下に本発明の各実施の形態に係る医療器具支持ユニットを図面に基づいて説明する。なお、本発明の各実施の形態に係る医療器具支持ユニットは、局部麻酔による比較的小規模な手術や、応急処置を行う場合に好適なものであるが、動物に対する各種の手術や処置にも大変好適である。また、以下に説明するように、上段、中段、下段の３つの載置台に加えてハンガーアーム、ラテラル、牽引器具などを着脱することが可能であるが、他の支持アームなどを着脱することも可能である。
【００２７】
まず、本発明の第１の実施の形態に係る医療器具支持ユニットの概要について説明する。図１は、第１の実施の形態に係る医療器具支持ユニットを示す斜視図である。図１において、１０は脚部、１１は第１脚部材、１２は第２脚部材、１３は第３脚部材、１４ａ、１４ｂ、１４ｃ及び１４ｄはキャスタ、１５は支柱部、１６は下部支柱材、１６ａ及び１６ｂはガイドレール、１７は上部支柱材、２０は上段載置台、２２ａ、２２ｂ、２２ｃ及び２２ｄは側板部、２３ａ、２３ｂ、２３ｃ及び２３ｄは切欠部、２５は中段載置台、２６は底板部、２７ａ、２７ｂ、２７ｃ及び２７ｄは側板部、２８ａ、２８ｂ、２８ｃ及び２８ｄは切欠部、３０はクランプ支持アーム、３２は腕部、３４は締付金具、４０は下段載置台、４３は滅菌布、４４及び４５は電源ケーブル、１００は医療器具支持ユニットである。また、図２は、本発明の第１の実施の形態に係る医療器具支持ユニットの各構成品の接続関係を示す斜視図である。図２において、２９は支持軸、４１及び４２は保持部であり、その他の符号は図１と同じものを示す。
【００２８】
この実施の形態に係る医療器具支持ユニット１００は、図１に示すように、上段載置台２０、中段載置台２５及び下段載置台４０の上下方向に配置した３つの載置台を着脱可能に備えている。また、図２に示すように、上段載置台２０は載置部１８の支持孔１８ａによって回転可能に支持され、同様に中段載置台２５はクランプ支持アーム３０の支持孔３１ａによって回転可能に支持され、下段載置台４０は脚部１０の第１脚部材１１によって非可動的に支持されている。載置部１８とクランプ支持アーム３０との上面はそれぞれ平坦に形成しており、上段載置台２０と中段載置台２５とはこの平坦面に支持されている。したがって、上段載置台２０又は中段載置台２５は、回転するときに傾くことがなく、安定的に回転することが可能である。また、これらの載置台は、それぞれ独立して機能するが、支柱部１５を介して一体的に移動させ、また使用することができる。さらに、後述するように、上段載置台２０、中段載置台２５及び下段載置台４０は、それぞれ着脱可能になされており、実行する手術又は処置の種類に応じて必要な載置台のみを固定することが可能である。また、支柱部１５の上端部には、上段載置台２０に代えて後述する各種のアームを固定することも可能である。
【００２９】
上段載置台２０は、側板部２２ａ、２２ｂ、２２ｃ及び２２ｄが設けられており、トレー状の外形を有するが、電源ケーブル４４及び４５の配線を容易にするために、四隅を切り欠いて切欠部２３ａ、２３ｂ、２３ｃ及び２３ｄとしている。通常は、滅菌布４３で覆い、その上にメス、ピンセット、鑷子、剪刀、鉗子、鉤又は持針器などの手術器具を載置するが、他の用途に用いることもできる。中段載置台２５は、上段載置台２０と同様に、側板部２７ａ、２７ｂ、２７ｃ及び２７ｄが設けられると共に、四隅を切り欠いて切欠部２８ａ、２８ｂ、２８ｃ及び２８としている。中段載置台２５も上段載置台２０と同様の用途に用いることができるが。なお、図１では、中段載置台２５の底板部２６には上段載置台２０の滅菌布４３に相当する布を記載していないが、滅菌布を被せることも可能である。下段載置台４０は、大型の廃棄物入れなどを載置しやすいように側板部を設けていない。
【００３０】
ここで、脚部１０及び支柱部１５の構造について詳細に説明する。図３は、脚部及び支柱部の斜視図であり、（Ａ）は支柱部を伸ばした状態、（Ｂ）は支柱部を縮めた状態を示す。図３において、１８ａは支持孔、１９はクランプ、１９ａはつまみであり、その他の符号は図１と同じものを示す。
【００３１】
脚部１０は、構造材として第１脚部材１１、第２脚部材１２及び第３脚部材１３を有している。第１脚部材１１は、床面上から所定の高さにおいて床面と平行となるように延在しており、全体が略矩形筒状に形成されている。第２脚部材１２は、第１脚部材１１の一方の端部に接続され、かつ、第１脚部材１１と直交する方向に延在している。さらに、第２脚部材１２の両端部には、キャスタ１４ａとキャスタ１４ｂとが設けられている。第３脚部材１３は、第１脚部材１１の他方の端部に接続され、かつ、第１脚部材１１と直交する方向に延在している。さらに、第３脚部材１３の両端部には、キャスタ１４ｃとキャスタ１４ｄとが設けられている。したがって、脚部１０は、キャスタ１４ａ、１４ｂ、１４ｃ及び１４ｄによって手術室などの床面上を自由に移動できる。また、第２脚部材１２及び第３脚部材１３は、両者共に略矩形筒状に形成されているが、第３脚部材１３の内部には後述するようにおもりが内蔵されている。
【００３２】
支柱部１５は、構造材として下部支柱材１６と上部支柱材１７とを有している。下部支柱材１６は、第１脚部材１１の第２脚部材１２側の端部近傍から直立しており、全体が矩形筒状に形成されている。さらに、下部支柱材１６の４つの角には、ガイドレール１６ａ及び１６ｂと、裏面側の２つのガイドレールとがそれぞれ設けられている。上部支柱材１７は、下部支柱材１６から上方に向かって直立しており、全体が矩形筒状に形成されている。また、ガイドレール１６ａ及び１６ｂと、裏面側の２つのガイドレールとによって案内されつつ昇降可能である。さらに、４つのガイドレールは、上部支柱材１７の中空部に軽く嵌合されている。また、上部支柱材１７の中空部には、ガススプリングが設けられている。したがって、上部支柱材１７任意の高さで停止させ、その高さを保持させることが可能である。なお、ガイドレールに代えてロックピンやクランプでその高さを保持するように構成してもよい。上部支柱材１７の上昇を容易にしている。また、上部支柱材１７の上端部には、載置部１８が設けられている。
【００３３】
図４は、上段載置台の支持状態を示す斜視図である。図４において、２１は底板部、２４は支持軸であり、その他の符号は図１と同じものを示す。また、図５は、上段載置台の回転状態を示す斜視図であり、（Ａ）は第３脚部材側に回転させた状態、（Ｂ）は第２脚部材側に回転させた状態を示す。図５において、７９は領域であり、その他の符号は図１と同じものを示す。
【００３４】
図４に示すように、載置部１８は、略矩形板状を２枚貼り合わせた外形に形成されており、上部支柱材１７の上端部に第３脚部材１３側に張り出した状態で固着されている。また、長辺に相当する縁辺部が第１脚部材１１と平行になるように配置されている。さらに、第３脚部材１３側に張り出した部分、つまり第３脚部材１３側の短辺に相当する縁辺部の近傍には、載置部１８を垂直に貫通するように支持孔１８ａが形成されている。上段載置台２０は、底板部２１に設けた支持軸２４を支持孔１８ａに挿入することによって回転可能に支持される。さらに、第３脚部材１３側に張り出した部分の下面には、支持孔１８ａの開口部を取り囲むようにクランプ１９が固定されている。クランプ１９は、つまみ１９ａを回転させることによって支持軸２４を締め付けて上段載置台２０を回転しないようにできる。逆方向に回転して締め付け弛めれば、上段載置台２０を再び回転させることができる。
【００３５】
以上の構成によって、支柱部１５を伸ばすと、図３（Ａ）に示すように、載置部１８は上昇するので、載置部１８に装着した載置台なども同時に上昇する。また、支柱部１５を縮めると、図３（Ｂ）に示すように、載置部１８は下降するので、載置部１８に装着した載置台なども同時に下降する。したがって、上段載置台２０は、手術を行う医師等にとって好適な任意の高さに調節することができる。また、上段載置台２０の方向も適宜調節することができ、さらにクランプ１９の締め付けによってその方向を保持することも可能である。したがって、図５（Ａ）に示すように、脚部１０と上段載置台２０との間に何もない領域７９を確保し、領域７９に手術台又は処置台が入り込むように医療器具支持ユニット１００を移動することによって、上段載置台２０に置いた医療器具を手術台又は処置台の極めて近傍、又は上方に位置させることができるようになる。また、手術又は処置が終われば、図５（Ｂ）に示すように、上段載置台２０を領域７９から遠ざかるように回転させれば、上段載置台２０が患者の移動などを妨げることがない。
【００３６】
ここで、脚部１０と支柱部１５との位置関係、及び、脚部と上段載置台との位置関係について説明する。図６は、脚部と上段載置台との位置関係を示す斜視図である。図６において、１５ａは仮想的支柱部であり、その他の符号は図１と同じものを示す。
【００３７】
支柱部１５は、仮想的支柱部１５ａに示すような第１脚部材１１の中央ではなく、第２脚部材１２側の端部近傍から直立している。これは、前述のように、支柱部１５を偏在させることによって、図５に示した領域７９を確保し、医療器具支持ユニット１００の利便性を向上するためである。しかし、このように構成すると、医療器具支持ユニット１００の重心が第２脚部材１２側に偏るので、上段載置台２０を第２脚部材１２側に回転させたときに、医療器具支持ユニット１００が転倒することも考えられる。そこで、この実施の形態に係る医療器具支持ユニット１００では、第２脚部材１２よりも第３脚部材１３を重くして、医療器具支持ユニット１００の転倒を防止している。すなわち、第２脚部材１２をソリッドステンレスで形成することによって、２つの脚部材の重さに差を設けている。なお、第２脚部材１２の材料は、ソリッドステンレスに限られるものではなく、必要となる重さに応じて適宜選択すればよい。また、第２脚部材１２の中空部にソリッドステンレスで形成したおもりを内蔵することによって、２つの脚部材の重さに差を設けもよい。
【００３８】
図２４は、転倒実験の方法を示す側面図である。図２４において、７８は水槽であり、その他の符号は図１と同じものを示す。各部材の寸法について、第１脚部材１１は長さ６９５ｍｍ、第２脚部材１２及び第３脚部材１３は長さ４００、支柱部１５は高さ８００ｍｍ、上段載置台２０は長さ７００ｍｍ、幅４００ｍｍとした。そして、第２脚部材１２及び第３脚部材１３の重さや形状を順次交換して変更すると共に、上段載置台２０第２脚部材１２側に回転させたときに、どの程度の加重に耐えられるかを直径２２０ｍｍの円筒状の水槽７８を側板部２２ｄに接するところに置き、水槽７８に水を徐々に注入することによって確認した。その結果、第２脚部材１２と第３脚部材１３との重さが同じである場合には、第２脚部材１２及び第３脚部材１３の重さ又は形状にかかわらず水槽７８と水の加重が９．０ｋｇ前後になったところで転倒した。一方、第２脚部材１２の中空部におもりを挿入して第３脚部材１３よりも重くした場合には、両者を同じ重さとする場合よりもより大きい加重に耐えた。さらに、実験を繰り返したところ、第２脚部材１２を第３脚部材１３よりも２．６ｋｇ以上重い場合には、水槽７８と水の加重が１６．０ｋｇ以上であっても耐えることが分かった。手術において使用する器具の重さを鑑みた場合、１６．０ｋｇの加重に耐えれば十分であるので、第２脚部材１２を第３脚部材１３よりも２．６ｋｇ以上重くすることが両者の重さの差として望ましいと言える。くわえて、前述のように、載置部１８は、長辺に相当する縁辺部が第１脚部材１１と平行になるように配置され、かつ、上部支柱材１７の上端部に第３脚部材１３側に張り出した状態で固着されているが、この構成も載置部１８に載せたものの重心が第３脚部材１３側に偏るよにして転倒の可能性を低減することを目的としている。
【００３９】
さらに、医療器具支持ユニット１００の様々な使用時の態様について説明する。図７は、上段載置台のみを使用している状態を示す斜視図である。図７において用いた符号は、すべて図１と同じものを示す。また、図８は、上段載置台を使用した状態において、第３脚部材側に向けてクランプ支持アームを取り付けた状態を示す斜視図である。図８において、３１は本体部、３１ａは支持孔、３５はつまみ、３８ａ、３８ｂ、３８ｃ及び３８ｄは開口部であり、その他の符号は図１と同じものを示す。くわえて、図９は、上段載置台を使用した状態において、第２脚部材側に向けてクランプ支持アームを取り付けた状態を示す斜視図である。図９において、３３は蝶番、３９ａ、３９ｂ、３９ｃ及び３９ｄは開口部であり、その他の符号は図１と同じものを示す。
【００４０】
医療器具支持ユニット１００は、前述のように、上段載置台２０、中段載置台２５及び下段載置台４０は、それぞれ着脱可能になされており、実行する手術又は処置の種類に応じて必要な載置台のみを固定することが可能である。例えば、図７に示すように、上段載置台２０のみを使用することができる。上段載置台２０のみを使用する場合、載置している医療器具を含む医療器具支持ユニット１００の重心の位置は高くなるが、第２脚部材１２よりも第３脚部材１３を重くしているので、上段載置台２０をどの方向に向けても医療器具支持ユニット１００が転倒することがない。また、図８に示すように、クランプ支持アーム３０を上部支柱材１７の任意の高さに固定したまま使用しても、クランプ支持アーム３０が上段載置台２０の回転を妨げることがない。したがって、中段載置台２５を使用しない場合でもクランプ支持アーム３０を特段取り外す必要はない。また、中段載置台２５を必要とする場合には、本体部３１の支持孔３１ａに中段載置台２５の支持軸２９を挿入し、本体部３１の内部に設けたクランプをつまみ３５を回して支持軸２９を締め付け、中段載置台２５の方向を固定すればよい。
【００４１】
さらに脚部１０と上段載置台２０との間に手術台又は処置台が入り込んだ状態で使用する場合には、図９に示すように、クランプ支持アーム３０を第２脚部材１２側に向けて固定すれば、脚部１０と上段載置台２０との間に何もない領域７９を確保することができる。このように、クランプ支持アーム３０を２つの方向に対して固定可能であるので、医師や獣医師などの視野に上段載置台２０と中段載置台２５との全体が入るように配置することが容易になる。なお、上部支柱材１７の水平断面が略正方形となるように形成すれば、クランプ支持アーム３０を第１脚部材１１と直交する２方向、計４方向に対して固定可能となる。この場合、クランプ支持アーム３０を上部支柱材１７を中心として回転可能とするのに近い効果を得ることができ、中段載置台２５の配置の自由度がさらに大きくなる。
【００４２】
ここで、クランプ支持アーム３０の固定方法について詳しく説明する。図１０は、クランプ支持アームの取り付け方法を示す斜視図であり、（Ａ）はクランプ支持アームを支柱部にあてがった状態、（Ｂ）は締付金具で締め付けた状態を示す。図１０において、図１０
３６はフック片、３７ａはリングアーム、３７ｂは牽引アームであり、その他の符号は図８と同じものを示す。
【００４３】
クランプ支持アーム３０は、図９に示したように、腕部３２は本体部３１に対して蝶番３３を介して開閉可能に設けられている。また、腕部３２は、図８に示すように、締付金具３４によって本体部３１側に牽引して介在するものを締め付けるようになされている。そこで、図１０（Ａ）に示すように、腕部３２を開いて上部支柱材１７を抱き込むように挟み、さらに図１０（Ｂ）に示すように、フック片３６にリングアーム３７ａを掛けて牽引アーム３７ｂをクランプ支持アーム３０の先端側に倒せば、クランプ支持アーム３０を固定することができる。なお、クランプ支持アーム３０の両側面には、軽量化のために開口部３９ａ、３９ｂ、３９ｃ及び３９ｄと、開口部３８ａ、３８ｂ、３８ｃ及び３８ｄとを形成しているが、軽い材料で形成した場合にはこれらの開口部を形成しなくてもよい。
【００４４】
さらに、医療器具支持ユニット１００の様々な使用時の態様について説明する。図１１は、上段載置台と中段載置台とを使用している状態を示す斜視図（１）である。図１１において用いた符号は、すべて図１と同じものを示す。また、図１２は、上段載置台と中段載置台とを使用している状態を示す斜視図（２）である。図１２において用いた符号は、すべて図１と同じものを示す。上段載置台と下段載置台とを使用している状態を示す斜視図である。さらに、図１３は、上段載置台と下段載置台とを使用している状態を示す斜視図である。図１３において用いた符号は、すべて図１と同じものを示す。くわえて、図１４は、上段載置台と下段載置台とを使用した状態において、第３脚部材側に向けてクランプ支持アームを取り付けた状態を示す斜視図である。図１４において用いた符号は、すべて図１と同じものを示す。
【００４５】
上段載置台２０と中段載置台２５とを使用するときは、例えば、図１１に示すように、第３脚部材１３側から上段載置台２０と中段載置台２５との全体を見渡せるように配置することができ、また図１２に示すように、キャスタ１４ｂ側から上段載置台２０と中段載置台２５との全体を見渡せるように配置することもできる。また、上段載置台２０と下段載置台４０とを使用するときには、図１３に示すように、第３脚部材１３側から上段載置台２０と下段載置台４０との全体を見渡せるように配置することができる。くわえて、上段載置台２０と下段載置台４０とを使用するときにおいても、図１４に示すように、クランプ支持アーム３０を上部支柱材１７に固定したまま使用することも可能である。
【００４６】
また、この実施の形態に係る医療器具支持ユニット１００は、載置台以外の医療器具支持手段を支持することも可能である。図１５は、ハンガーアームの脚部への取り付け方法を示す斜視図である。図１５において、４６はハンガーアーム、４７は支持軸、４８は水平部、４８ａ及び４８ｂは落下防止突起、４９はハンガーフック、７７はＳ字状フックであり、その他の符号は図３と同じものを示す。また、図１６は、ハンガーアームの使用状態を示す斜視図である。図１６において、６７は手術台、６８は手術対象動物、６９は綿布であり、その他の符号は図３と同じものを示す。
【００４７】
医療器具支持ユニット１００は、図１５に示すように、載置部１８の支持孔１８ａにハンガーアーム４６の支持軸４７を挿入することによって、ハンガーフック４９に輸液バッグなどを吊り下げることができる。さらに、医療器具支持ユニット１００を動物病院で使用する場合には、図１６に示すように、手術台６７や処置台に横たわった手術対象動物６８の脚を綿布６９で吊り下げるときなどに利用できる。なお、医療器具支持ユニット１００は、キャスタ１４ａ、１４ｂ、１４ｃ及び１４ｄで移動可能であるので、ハンガーアーム４６の水平部４８にＳ字状フック７７を掛けていると、移動中にＳ字状フック７７が滑り落ちることが考えられる。そこで、水平部４８の両端部近傍に落下防止突起４８ａ及び４８ｂを設けてＳ字状フック７７が滑り落ちること防止している。
【００４８】
さらに、この実施の形態に係る医療器具支持ユニット１００をX線撮影に使用する場合について説明する。図１７は、ラテラルの脚部への取り付け方法を示す斜視図である。図１７において、５０はラテラル用支持アーム、５１は本体部、５２は支持軸、５３は軸受部、５４ａ及び５４ｂは支持ピン、５５はラテラル、５６は保持プレート、５６ａは縦溝、５７は保持枠、５８は保持部、５８ａは支持孔、５９ａ及び５９ｂはハンドルであり、その他の符号は図３と同じものを示す。
【００４９】
医療器具支持ユニット１００をX線撮影に使用する場合には、ラテラル用支持アーム５０の本体部５１の下面の基端側に設けた支持軸５２を載置部１８の支持孔１８ａに挿入する。本体部５１の先端側には、軸受部５３が設けられている。さらに、支持ピン５４ａ及び５４ｂが保持プレート５６の背面側に設けられた保持部５８の支持孔５８ａと軸受部５３の左右両側面の開口部とをそれぞれ貫通しており、保持プレート５６は支持ピン５４ａ及び５４ｂを軸として回転可能である。また、保持プレート５６の背面側の縦溝５６ａには保持枠５７が上下に摺動可能に設けられており、Ｘ線フィルムカセットを保持プレート５６及び保持枠５７によって保持することが可能である。以上の構成によって、ラテラル５５を用いて手や小動物のＸ線撮影を行うことができる。また、ラテラル５５は、ハンドル５９ａ及び５９ｂを操作して下向き又は上向き、さらに斜めに向けることができるので、様々な角度からＸ線撮影することが可能になる。
【００５０】
くわえて、この実施の形態に係る医療器具支持ユニット１００を小動物の牽引に利用する場合について説明する。図１８は、牽引器具の脚部への取り付け方法を示す斜視図である。図１８において、６０は牽引用支持アーム、６１は本体部、６２は支持軸、６３は伸縮部、６４及び６５はクッション台、６６は牽引ケーブルであり、その他の符号は図３と同じものを示す。また、図１９は、牽引器具の使用状態を示す斜視図である。図１９において用いた符号は、すべて図１８と同じものを示す。
【００５１】
図１８に示すように、牽引用支持アーム６０の本体部６１の下面の基端側に設けた支持軸６２を載置部１８の支持孔１８ａに挿入する。本体部６１の先端側には、伸縮部６３が設けられており、さらに伸縮部６３の上面にはクッション台６４、伸縮部６３の先端部にはクッション台６５が設けられている。伸縮部６３は前後に伸縮可能であるので、クッション台６４及び６５も脚部１０を動かさずに前後に移動可能である。以上の構成において、図１９に示すように、手術台６７の縁辺部にクッション台６５が接した状態にし、手術台６７上の手術対象動物６８の脚をクッション台６４に載せ、さらに牽引ケーブル６６で牽引することが可能である。
【００５２】
また、この実施の形態に係る医療器具支持ユニット１００では、上段載置台２０などを支柱部１５から離れたところに位置させることが可能である。図２０は、補助アームの脚部への取り付け方法を示す斜視図である。図２０において、７０は補助アーム、７１は本体部、７１ａは支持孔、７２は支持軸、７３はつまみであり、その他の符号は図３と同じものを示す。
【００５３】
図２０に示すように、補助アーム７０は、本体部７１の下面の基端側に設けた支持軸７２を載置部１８の支持孔１８ａに挿入することが可能である。また、本体部７１の先端側には、支持孔７１ａが形成されている。支持孔７１ａは、載置部１８の支持孔１８ａと同じ形状及び大きさであり、上段載置台２０の支持軸２４を挿入することによって上段載置台２０を回転可能に支持する。また、本体部７１の内部にはクランプが設けられており、つまみ７３を回転することによってこのクランプの締め付けができる。したがって、補助アーム７０を用いれば、その長さに応じて上段載置台２０などを支柱部１５から離れたところに位置させることができる。
【００５４】
以上のように、この実施の形態に係る医療器具支持ユニット１００では、各種の医療器具を載置台に載置、又は、支持することが可能である。しかし、多数の医療器具を載置台に載置できると、手術中に電気メスなどの電源ケーブルや吸引器のチューブなどが絡み合って手術を円滑に実行できないという副次的な課題が発生する。そこで、本発明では、ケーブルやチューブなどの線状体を所定の位置において保持して絡み合うことを防止できるようにしている。図２１は、ラインホルダを示す図であり、（Ａ）は正面図、（Ｂ）は右側面図、（Ｃ）は背面図である。図２１において、８０はラインホルダ、８１は前面板部、８１ａ及び８１ｂは支持部、８２は背面板部、８２ａ及び８２ｂは支持部、８３は締付部、８４ａは水平板部、８４ｂ及び８４ｃは側板部、８５は回転アーム部、８５ａは係止部、８６は軸受、８７はロック部、８８はレバー、８９ａ、８９ｂ、８９ｃ、８９ｄ、８９ｅ、８９ｆ及び８９ｇはガイドピンである。また、図２２は、ラインホルダの使用状態を示す斜視図である。図２２において、７４ａ及び７４ｂは電源ケーブル、７５は大径チューブ、７６ａ及び７６ｂはチューブであり、その他の符号は図１及び図２１と同じものを示す。
【００５５】
ラインホルダ８０は、前面板部８１との背面板部８２との間に間隙を設け、この間隙に挿入した上段載置台２０、中段載置台２５又は下段載置台４０の側板部を締付部８３によって挟持できるようにしている。また、前面板部８１との背面板部８２とのそれぞれの左右両端部から、支持部８１ａ及び８１ｂと、支持部８２ａ及び８２ｂとを直立させ、さらに、支持部８１ａと支持部８２ａとの間にロック部８７を介在させ、支持部８１ｂと支持部８２ｂとの間に軸受８６を介在させている。軸受８６は、回転アーム部８５を回転可能に支持している。回転アーム部８５は、軸受８６を中心に回転し、先端部に形成された係止部８５ａをロック部８７に係止されることによって回転が規制される。まら、ロック部８７にはレバー８８が設けられており、レバー８８を垂直方向に向けると係止部８５ａが係止され、水平方向に向けると係止が解けるようになっている。
【００５６】
また、前面板部８１との背面板部８２との上端部の間には、水平板部８４ａが設けられている。水平板部８４ａは、前面板部８１との背面板部８２とを接続し、さらにラインホルダ８０の上下の空間を分断するものである。くわえて、前面板部８１との背面板部８２との間に載置台などの側板部を挿入したときに、側板部の先端が当接する部分でもある。また、水平板部８４ａの左右両端部には、前面板部８１との背面板部８２とを接続する側板部８４ｂ及び８４ｃが直立するように設けられている。さらに、水平板部８４ａの上面には、ガイドピン８９ａ、８９ｂ、８９ｃ、８９ｄ、８９ｅ、８９ｆ及び８９ｇを設けている。ガイドピン８９ａ、８９ｂ、８９ｃ、８９ｄ、８９ｅ、８９ｆ及び８９ｇは、線状体を保持するものであり、水平板部８４ａの上面に直立している。また、ガイドピン８９ａとガイドピン８９ｂとの間隙と、ガイドピン８９ｂとガイドピン８９ｃの間隙と、ガイドピン８９ｃとガイドピン８９ｄの間隙とは、それぞれ幅が異なっている。これは、太さが異なる線状体を挿通させることを容易にするためである。なお、ガイドピン８９ｃとガイドピン８９ｄとの間隙と、ガイドピン８９ｄとガイドピン８９ｅの間隙と、ガイドピン８９ｅとガイドピン８９ｆの間隙と、ガイドピン８９ｆとガイドピン８９ｇの間隙とは、それぞれ同じ幅にしている。
【００５７】
このように構成したラインホルダ８０は、例えば、図２２に示すように、滅菌布４３を介して上段載置台２０の側板部２２ｃに固定して使用する。また、ガイドピン８９ａ、８９ｂ、８９ｃ、８９ｄ、８９ｅ、８９ｆ及び８９ｇの間隔の違いに応じて、電源ケーブル７４ａ及び７４ｂ、大径チューブ７５、並びに、チューブ７６ａ及び７６ｂを保持させている。このようにすれば、医師や看護師の手元に比較的近いところで線状体を保持できるので、互いに絡み合うことを防止できる。
【００５８】
以上のように、本発明の第１の実施の形態に係る医療器具支持ユニット１００は、脚部１０に設けたキャスタ１４ａ、１４ｂ、１４ｃ及び１４ｄによって床面上を各方向に自由に移動できる。また、支柱部１５は、下部支柱材１６に対して上部支柱材１７が上下することによって伸縮可能であり、さらに載置部１８において上段載置台２０やハンガーアーム４６を回転可能な状態で支持する。したがって、手術又は処置を行う医師、看護師、獣医師などが各種の医療器具の位置を一瞥して把握できるように前後左右の位置や、高さ、方向を調整でき、かつ、医師などが手を伸ばして医療器具をすぐに取れる位置にすることも容易になる。また、クランプ支持アーム３０に支持されている中段載置台２５も回転可能な状態で支持するので、医師、看護師、獣医師などから見て上段載置台２０と中段載置台２５とが互いに重なり合わないようにこれらの位置又は方向をそれぞれ調整できるので、さらに医療器具に対する視認性が向上する。さらに、下部支柱材１６を第１脚部材１１の第２の脚部材１２側の端部近傍から直立させているので、上段載置台２０と脚部１０との間に何もない空間ができる。この空間に手術台又は処置台が入り込むように医療器具支持ユニット１００を移動することによって、各種の医療器具を手術台又は処置台の極めて近傍、又は上方に位置させることができる。
【００５９】
さらに、載置部１８は、第２脚部材１２側の縁辺部近傍において支柱部１５に接続されているので、上段載置台２０の重量によって支柱部を第３の脚部材側へ倒すモーメントを加わるが、第３脚部材１３側の縁辺部近傍に支持孔１８ａを形成して反対側に倒すモーメントを生じるようにしたので、支柱部１５が倒れることを防止できる。くわえて、第１脚部材１１によってさらに下段載置台４０を保持できるようにしたので、例えばサクションのように、手術台又は処置台の近傍に配置する必要があるが、手術中又は処置中はほとんど手を触れないようなものを置くことができ、医療器具支持ユニット１００の利便性をさらに向上することができる。上段載置台２０、中段載置台２５又は下段載置台４０の少なくとも１つの側板部に、医療器具に接続された線状体を複数本保持するラインホルダ８０固定できるので、電気メス、レーザメス、吸引器などの電源ケーブルや吸引チューブなどが一定の範囲を超えて移動することを防止できる。したがって、各種ケーブル又はチューブが絡み合って手術又は処置を妨げることを防止でき、さらに上段載置台２０などの上が整然とした状態になるので、各種の医療器具の配置が把握しやすくなる。さらに、第２脚部材１２よりも第３の脚部材１３が重いので、上段載置台２０やハンガーアーム４６に係る医療器具の重量や加重によって支柱部１５が第２の脚部材側に傾いたり、医療器具支持ユニット全体が転倒したりすることを防止できる。くわえて、クランプ支持アーム３０が上部支柱材１７に対して背向する２方向に向けて選択的に固定できるので、医師、看護師、獣医師などの視野に上段載置台２０と中段載置台２５との全体が入るように配置することがさらに容易になる。
【００６０】
次に、本発明の第２実施の形態に係る医療器具支持ユニットについて説明する。図２３は、第２の実施の形態に係る医療器具支持ユニットを示す斜視図である。図２３において、９０は下段載置台、９１は支持軸、９２は支持孔、９３は支持棒、９４はおもり、９５は支持孔であり、その他の符号は図２と同じものを示す。
【００６１】
本発明の第２の実施の形態に係る医療器具支持ユニット１００は、図２３に示すように、第１脚部材１１のほぼ中央に支持孔９２を設け、さらに第１脚部材１１の第３脚部材１３側に支持孔９５を設けている。また、下段載置台９０は、上段載置台２０などと同様に、支持軸９１を支持孔９２に挿入することによって回転可能に支持されるようにしている。なお、下段載置台９０に置いたものが回転中に転倒しないように、上段載置台２０などと同様の側板部を形成している。くわえて、支持孔９５に支持棒９３を挿入し、さらにおもり９４を支持棒９３が挿通されるように第１脚部材１１上に置くことによって、第２脚部材１２よりも第３脚部材１３をさらに重くし、医療器具支持ユニット１００の転倒を防止している。
【００６２】
以上のように、この実施の形態に係る医療器具支持ユニット１００は、第１脚部材１１がさらに下段載置台９０を回転可能に支持しているので、例えばサクションのように、手術台又は処置台の近傍に配置する必要があるが、手術中又は処置中はほとんど手を触れないようなものを置くことができ、くわえて医師、看護師、獣医師などの足に当たりにくい方向に向けておくことができる。また、おもり９４を第１脚部材１１上に置くことによって、上段載置台２０に重量物を載せたり、ハンガーアーム４６で重いものを支持したりすることができる。
【００６３】
なお、本発明は、以上に説明した各実施の形態の説明内容に限定されるものではなく、例えば、上段載置台２０、中段載置台２５又は下段載置台９０のいずれかの底板部にスライド機構を設け、この機構を設けた載置台を水平方向にスライド移動できるようにしてもよい。また、上部支柱材１７の周側面を回転可能なものとし、クランプ支持アーム３０をこの周側面と共に回転するようにしてもよい。さらに、載置部１８自体が回転するように構成し、上段載置台２０が載置部１８と共に回転するようにしてもよい。くわえて、いくつかの実施の形態の構成を複合的に設けてもよい。このような事例のように、各請求項に記載した範囲を逸脱しない限りにおいて種々の変形を加えることが可能である。
【符号の説明】
【００６４】
１０    脚部
１１    脚部材
１２    脚部材
１３    脚部材
１４ａ  キャスタ
１４ｂ  キャスタ
１４ｃ  キャスタ
１４ｄ  キャスタ
１５    支柱部
１５ａ  仮想的支柱部
１６    下部支柱材
１６ａ  ガイドレール
１６ａ  ガイドレール
１７    上部支柱材
１８    載置部
１８ａ  支持孔
１９    クランプ
１９ａ  つまみ
２０    上段載置台
２１    底板部
２２ａ  側板部
２２ｂ  側板部
２２ｃ  側板部
２２ｄ  側板部
２３ａ  切欠部
２３ｂ  切欠部
２３ｃ  切欠部
２３ｄ  切欠部
２４    支持軸
２５    中段載置台
２６    底板部
２７ａ  側板部
２７ｂ  側板部
２７ｃ  側板部
２７ｄ  側板部
２８ａ  切欠部
２８ｂ  切欠部
２８ｃ  切欠部
２８ｄ  切欠部
２９    支持軸
３０    クランプ支持アーム
３１    本体部
３１ａ  支持孔
３２    腕部
３３    蝶番
３４    締付金具
３５    つまみ
３６    フック片
３７ａ  リングアーム
３７ｂ  牽引アーム
３８ａ  開口部
３８ｂ  開口部
３８ｃ  開口部
３８ｄ  開口部
３９ａ  開口部
３９ｂ  開口部
３９ｃ  開口部
３９ｄ  開口部
４０    下段載置台
４１    保持部
４２    保持部
４３    滅菌布
４４    電源ケーブル
４５    電源ケーブル
４６    ハンガーアーム
４７    支持軸
４８    水平部
４８ａ  落下防止突起
４８ｂ  落下防止突起
４９    ハンガーフック
５０    ラテラル用支持アーム
５１    本体部
５２    支持軸
５３    軸受部
５４ａ  支持ピン
５４ｂ  支持ピン
５５    ラテラル
５６    保持プレート
５６ａ  縦溝
５７    保持枠
５８    保持部
５８ａ  支持孔
５９ａ  ハンドル
５９ｂ  ハンドル
６０    牽引用支持アーム
６１    本体部
６２    支持軸
６３    伸縮部
６４    クッション台
６５    クッション台
６６    牽引ケーブル
６７    手術台
６８    手術対象動物
６９    綿布
７０    延長用支持アーム
７１    本体部
７１ａ  支持孔
７２    支持軸
７３    つまみ
７４ａ  電源ケーブル
７４ｂ  電源ケーブル
７５    大径チューブ
７６ａ  チューブ
７６ｂ  チューブ
７７    Ｓ字状フック
７８    水槽
７９    領域
８０    ラインホルダ
８１    前面板部
８１ａ  支持部
８１ｂ  支持部
８２    背面板部
８２ａ  支持部
８２ｂ  支持部
８３    締付部
８４ａ  水平板部
８４ｂ  側板部
８４ｃ  側板部
８５    回転アーム部
８５ａ  係止部
８６    軸受
８７    ロック部
８８    レバー
８９ａ  ガイドピン
８９ｂ  ガイドピン
８９ｃ  ガイドピン
８９ｄ  ガイドピン
８９ｅ  ガイドピン
８９ｆ  ガイドピン
８９ｇ  ガイドピン
９０    下段載置台
９１    支持軸
９２    支持孔
９３    支持棒
９４    おもり
９５    支持孔
１００  医療器具支持ユニット
【図１】
2011218154.tif 000003
【図２】
2011218154.tif 000004
【図３】
2011218154.tif 000005
【図４】
2011218154.tif 000006
【図５】
2011218154.tif 000007
【図６】
2011218154.tif 000008
【図７】
2011218154.tif 000009
【図８】
2011218154.tif 000010
【図９】
2011218154.tif 000011
【図１０】
2011218154.tif 000012
【図１１】
2011218154.tif 000013
【図１２】
2011218154.tif 000014
【図１３】
2011218154.tif 000015
【図１４】
2011218154.tif 000016
【図１５】
2011218154.tif 000017
【図１６】
2011218154.tif 000018
【図１７】
2011218154.tif 000019
【図１８】
2011218154.tif 000020
【図１９】
2011218154.tif 000021
【図２０】
2011218154.tif 000022
【図２１】
2011218154.tif 000023
【図２２】
2011218154.tif 000024
【図２３】
2011218154.tif 000025
【図２４】
2011218154.tif 000026